(57)【要約】【課題】記憶部に記憶されている記憶量を逐次減らすことができ、記憶部を有効に利用することができる通信装置を提供する。【解決手段】外部より通信情報を取得し、当該取得した通信情報を記憶手段に記憶させる通信装置において、情報を入力するために用いられる入力手段と、前記入力手段を用いて入力された入力情報を前記記憶手段に記憶する入力情報記憶手段と、人の存在を検知する検知手段と、前記検知手段により人の存在が検知された場合に、前記記憶手段に記憶されている入力情報を再生する再生手段と、前記再生された入力情報を前記記憶手段から削除する削除手段と、を有することを特徴とする。【選択図】図１
2008252355.tif 000002
【特許請求の範囲】
【請求項１】
外部より通信情報を取得し、当該取得した通信情報を記憶手段に記憶させる通信装置において、
情報を入力するために用いられる入力手段と、
前記入力手段を用いて入力された入力情報を前記記憶手段に記憶する入力情報記憶手段と、
人の存在を検知する検知手段と、
前記検知手段により人の存在が検知された場合に、前記記憶手段に記憶されている入力情報を再生する再生手段と、
前記再生された入力情報を前記記憶手段から削除する削除手段と、
を有することを特徴とする通信装置。
【請求項２】
請求項１に記載の通信装置において、
前記再生手段は、前記再生された入力情報を前記記憶手段から削除するか否かを選択するために用いられる選択情報を再生し、
前記再生された選択情報に基づいて、前記削除手段は、前記再生された入力情報を前記記憶手段から削除することを特徴とする通信装置。
【請求項３】
請求項１又は請求項２のいずれか一項に記載の通信装置において、
前記入力情報の再生が終了したタイミングから計時を開始する計時手段と、
前記計時手段の計時が予め設定されている所定時間よりも長いか否かを判定する判定手段と、
を更に有し、
前記削除手段は、前記判定手段により前記計時が前記所定時間よりも長いと判定された場合には、前記再生された入力情報を前記記憶手段から削除することを特徴とする通信装置。
【請求項４】
請求項１乃至請求項３のいずれか一項に記載の通信装置において、
前記入力情報は、音声情報、文字情報、又は画像情報の少なくとも一つであり、
前記入力手段は、前記音声情報が入力される音声情報入力手段、前記文字情報が入力される文字情報入力手段、又は媒体に記載された前記画像情報が入力される画像情報入力手段の少なくとも一つであり、
前記再生手段は、前記音声情報を再生する音声情報再生手段、前記文字情報を表示する文字情報表示手段、又は前記画像情報を表示する画像情報表示手段の少なくとも一つであることを特徴とする通信装置。
【請求項５】
請求項１乃至請求項４のいずれか一項に記載の通信装置において、
前記通信情報は、外部より取得される音声情報、文字情報、又は画像情報の少なくとも一つであることを特徴とする通信装置。
【請求項６】
外部より通信情報を取得し、当該取得した通信情報を記憶手段に記憶させる通信システムであって、情報を入力するために用いられる入力手段を備える通信システムに含まれるコンピュータを、
前記入力手段を用いて入力された入力情報を前記記憶手段に記憶する入力情報記憶手段、
人の存在を検知する検知手段、
前記検知手段により人の存在が検知された場合に、前記記憶手段に記憶されている入力情報を再生する再生手段、及び、
前記再生された入力情報を前記記憶手段から削除する削除手段、
として機能させることを特徴とする通信用プログラム。
【発明の詳細な説明】
【技術分野】
【０００１】
本発明は、通信装置、及び通信用プログラムの技術分野に属する。
【背景技術】
【０００２】
近年、伝言機能を備えた冷蔵庫が開発されている。詳細には、人体検知センサにより冷蔵庫近傍に人の存在が検知された場合に、伝言機能により予め録音しておいた伝言を報知するというものである（特許文献１）。
【０００３】
このような冷蔵庫では、伝言機能により録音された伝言が記憶部に記憶されることになるが、この記憶部は他の機能で使用されることがないため、誰かが伝言を消去するまで伝言が記憶部に記憶されたままの状態が続いても特段問題は生じない。
【０００４】
また、留守番電話機において、伝言録音エリアに伝言が録音されている場合に、所有者が戻って留守番電話に接近したときに、自動的に伝言を再生して聞き取らせるというものがある（特許文献２）。
【特許文献１】特開２００３−２８５５０号公報
【特許文献２】特開平５−１４４７７号公報
【発明の開示】
【発明が解決しようとする課題】
【０００５】
しかしながら、伝言機能により記憶された伝言が消去されずにいつまでも記憶部に記憶されていると、用紙切れ等の理由で記憶部に記憶させる必要のあるファクシミリ情報や留守番伝言等を記憶できなくなってしまうといった問題が発生していた。
【０００６】
そこで、本発明は上記問題を解決するためになされたものであり、記憶部に記憶されている記憶量を減らすことができ、記憶部を有効に利用することができる通信装置を提供することを目的とする。
【課題を解決するための手段】
【０００７】
上記課題を解決するための請求項１に記載の発明は、外部より通信情報を取得し、当該取得した通信情報を記憶手段に記憶させる通信装置において、情報を入力するために用いられる入力手段と、前記入力手段を用いて入力された入力情報を前記記憶手段に記憶する入力情報記憶手段と、人の存在を検知する検知手段と、前記検知手段により人の存在が検知された場合に、前記記憶手段に記憶されている入力情報を再生する再生手段と、前記再生された入力情報を前記記憶手段から削除する削除手段と、を有することを特徴とする。
【０００８】
これによれば、外部より受信した通信情報と入力手段を用いて入力された入力情報とが一の記憶手段に記憶される場合において、検知手段により人の存在が検知されたタイミングで入力情報を再生し、その後再生された入力情報を記憶手段から削除させる。
【０００９】
上記課題を解決するための請求項２に記載の発明は、請求項１に記載の通信装置において、前記再生手段は、前記再生された入力情報を前記記憶手段から削除するか否かを選択するために用いられる選択情報を再生し、前記再生された選択情報に基づいて、前記削除手段は、前記再生された入力情報を前記記憶手段から削除することを特徴とする。
【００１０】
これによれば、外部より取得された通信情報と入力手段を用いて入力された入力情報とが一の記憶手段に記憶される場合において、入力情報を再生した後に削除するか否かを選択するために用いられる選択情報を再生し、再生された選択情報に基づいて、入力情報を記憶手段から削除する。
【００１１】
上記課題を解決するための請求項３に記載の発明は、請求項１又は請求項２のいずれか一項に記載の通信装置において、前記入力情報の再生が終了したタイミングから計時を開始する計時手段と、前記計時手段の計時が予め設定されている所定時間よりも長いか否かを判定する判定手段と、を更に有し、前記削除手段は、前記判定手段により前記計時が前記所定時間よりも長いと判定された場合には、前記再生された入力情報を前記記憶手段から削除することを特徴とする。
【００１２】
これによれば、外部より取得された通信情報と入力手段を用いて入力された入力情報とが一の記憶手段に記憶される場合において、入力情報の再生が終了してから所定時間が経過した場合、再生された入力情報を記憶手段から削除する。
【００１３】
上記課題を解決するための請求項４に記載の発明は、請求項１乃至請求項３のいずれか一項に記載の通信装置において、前記入力情報は、音声情報、文字情報、又は画像情報の少なくとも一つであり、前記入力手段は、前記音声情報が入力される音声情報入力手段、前記文字情報が入力される文字情報入力手段、又は媒体に記載された前記画像情報が入力される画像情報入力手段の少なくとも一つであり、前記再生手段は、前記音声情報を再生する音声情報再生手段、前記文字情報を表示する文字情報表示手段、又は前記画像情報を表示する画像情報表示手段の少なくとも一つであることを特徴とする。
【００１４】
これによれば、外部より取得された通信情報と入力手段を用いて入力された入力情報とが一の記憶手段に記憶される場合において、入力情報が音声情報、文字情報、画像情報のいずれであったとしても、検知手段により人の存在が検知されたタイミングで入力情報を再生し、その後再生された入力情報を記憶手段から削除する。
【００１５】
上記課題を解決するための請求項５に記載の発明は、請求項１乃至請求項４のいずれか一項に記載の通信装置において、前記通信情報は、外部より取得される音声情報、文字情報、又は画像情報の少なくとも一つであることを特徴とする。
【００１６】
これによれば、外部より取得された通信情報と入力手段を用いて入力された入力情報とが一の記憶手段に記憶される場合において、検知手段により人の存在が検知されたタイミングで入力情報を再生し、その後再生された入力情報を記憶手段から削除する。
【００１７】
上記課題を解決するための請求項６に記載の発明は、外部より通信情報を取得し、当該取得した通信情報を記憶手段に記憶させる通信システムであって、情報を入力するために用いられる入力手段を備える通信システムに含まれるコンピュータを、前記入力手段を用いて入力された入力情報を前記記憶手段に記憶する入力情報記憶手段、人の存在を検知する検知手段、前記検知手段により人の存在が検知された場合に、前記記憶手段に記憶されている入力情報を再生する再生手段、及び、前記再生された入力情報を前記記憶手段から削除する削除手段、として機能させることを特徴とする。
【００１８】
これによれば、外部より取得された通信情報と入力手段を用いて入力された入力情報とが一の記憶手段に記憶される場合において、検知手段により人の存在が検知されたタイミングで入力情報を再生し、その後再生された入力情報を記憶手段から削除する。
【発明の効果】
【００１９】
本発明によれば、外部より取得された通信情報と入力手段を用いて入力された入力情報とが一の記憶手段に記憶される場合において、検知手段により人の存在が検知されたタイミングで入力情報を再生し、その後再生された入力情報を記憶手段から削除することによって、記憶手段に記憶されている記憶量を逐次減らすことができるため、記憶手段を有効に利用することができる。
【発明を実施するための最良の形態】
【００２０】
次に、本発明を実施するための最良の形態について、図１乃至図４を用いて説明する。
【００２１】
なお、以下に説明する実施形態は、電話回線を介して外部から通信情報（ファクシミリ情報）を取得したり、ファクシミリ送信すべき情報を電話回線を介して外部に送信するファクシミリ機能、外部のコンピュータ等の情報処理装置から記録すべきプリント情報を所定の記録用紙に記録するプリンタ機能、スキャナで読み取った画像等の情報を外部のコンピュータに出力したり、又は所定の記録用紙に記録するスキャナ機能、あるいはコピー機能、また、外部の通話者からかかってきた電話に予め入力されている応答メッセージ並びに当該通話者の音声（メッセージ）を用いて対応し、外部の通話者からのメッセージを記憶しておく留守番電話機能、更に、伝言録音者が伝言を録音し、その後当該伝言を伝言取得者に再生して伝える伝言機能等を兼ね備えた通信装置（ファクシミリ装置）に対して本発明を適用した場合の実施の形態である。
【００２２】
［通信装置の概要］
図１は、実施形態に係る通信装置の概略構成を示す斜視図である。
【００２３】
図１に示すように、実施形態に係る通信装置１は、操作部１１、表示部１２、給紙部１３、排出部１４、原稿台１５、受話器１６、電話回線１７、アンテナ１８、人体検知センサ１９により構成されている。
【００２４】
操作部１１は、通信装置１に対しての指示を与える部分である。更に、通信装置１を伝言機能として利用するために、文字情報を入力する部分である。
【００２５】
表示部１２は、操作部１１により指示された状態等を表示する部分であり、ＬＥＤ（Light Emitting Diode）又は液晶等からなるものである。
【００２６】
給紙部１３は、通信装置１のファクシミリ機能により、ファクシミリ受信した情報又は外部のコンピュータ装置から受信した情報等を印刷する時に用いられる記録用紙を配置しておく部分である。給紙部１３内の記録用紙が一枚ずつ通信装置１内の後述のプリンタ部に送られてトナー画像が転写された後、定着部２９において熱加圧されることにより当該トナー画像が記録用紙上に固定され、排紙部１４に排出される。
【００２７】
原稿台１５は、通信装置１のスキャナ機能により画像情報を読み取るべき原稿を配置する部分である。
【００２８】
受話器１６は、通信装置１を電話機能、伝言機能として利用するために、音声情報を取得（入力）する部分である。
【００２９】
電話回線１７は、通信装置１を外部と接続するためのものであり、受話器１６によって取得された音声情報を電話回線１７を介して外部に出力する。当該電話回線１７を用いて上記ファクシミリ機能又は留守番電話機能を動作させることが可能となる。
【００３０】
アンテナ１８は、図示しないコードレス電話機の子機と通信装置１とを無線接続するためのものである。なお、上記電話回線は、公衆回線を介して音声信号を送出するものに限られず、ＩＰ網を介して音声信号を音声パケットに変換して送出するものにも適用される。
【００３１】
人体検知センサ１９は、人の存在を検知する部分である。具体的には、熱線の量の変化、又は輝度の変化により人の存在を検知する。例えば、遠赤外線センサや、赤外線センサが用いられる。なお、人体検知センサ１９が設置される位置は、人の存在を検知できる位置であればよく、特に当該規定した位置に限定されるものではない。
【００３２】
図２は、実施形態に係る通信装置の概略構成を示す断面図である。
【００３３】
スキャナ３０は、原稿３２の画像情報を読み取るための手段である。
具体的には、原稿台３１上に複数枚重ねられた原稿３２は、分離体３３と分離ローラ３４とにより、一枚ずつ分離されて搬送ローラ対３５の方向に送られる。この搬送ローラ対３５から排紙ローラ３６へ搬送する原稿３２の表面（本実施形態では下面）は、その間に配置された読み取り部３７にて、光源部３８からの光を照射され、反射光はレンズ系や反射系を介してラインイメージセンサ等の読み取りヘッド３９に入射し、読み取りヘッド３９にて反射光が電気信号に変換される。
【００３４】
プリンタ２１は、給紙部２２上に設置された記録用紙２３は、給紙部２２の半月状の給紙ローラ２４等にて、記録部における感光体ドラム２５に向かって送り出される。次に、光走査ユニット２６から走査される光により感光体ドラム２５に潜像が形成され、トナーカートリッジ２７及び現像装置２８から供給されるトナーを用いて前記潜像が現像され、記録用紙２３に転写され、加熱ローラと加圧ローラとからなる定着装置２９を通過することによりトナー像が定着され、排紙部１４に送り出される。
【００３５】
［通信装置の構成及び機能］
次に、上述した構成を備える通信装置の細部構成及び細部動作を図３を用いて説明する。なお、図３は、実施形態に係る通信装置の細部構成を示すブロック図である。
【００３６】
図３に示すように、実施形態に係る通信装置１は、入力情報記憶手段、削除手段、計時手段、判定手段としてのＣＰＵ５１と、記憶手段としてのＲＯＭ（Read Only Memory）５２と、ＲＡＭ（Random Access Memory）５３と、操作部５４と、表示部５５と、再生手段としてのスピーカ５６と、スキャナ部５７と、プリンタ部５８と、検知手段としての検知部（人体検知センサ）１９と、モデム部６０と、回線制御部６１と、入力手段としての受話器６２と、電話回線６３と、により構成されている。
【００３７】
回線制御部６１は、電話回線６３を介して取得される通信情報（ファクシミリ情報）をモデム部６０に出力すると共に、電話回線６３を介して取得される音声情報を受話器６２或はモデム部６０に出力する。これらと並行して回線制御部（ＮＣＵ）６１は、公衆回線を使った接続を行う際に、公衆回線とモデムやＤＳＵ（Digital Service Unit）などと接続して、他のファクシミリ装置との通信を確立する。
【００３８】
モデム部６０は、いわゆる変復調動作を行うものであり、より具体的には、回線制御部６１から入力されたファクシミリ情報に対して復調動作を行い、当該ファクシミリ情報に対応するディジタル信号をバス６４に出力と共に、バス６４からのファクシミリ情報を変調して回線制御部６１に出力する。また、モデム部６０は、いわゆるボイス機能を備えるものであって、より具体的には、回線制御部６１から入力された音声情報（アナログ信号）をディジタル信号に変換してバス６４に出力すると共に、バス６４を介して入力した音声情報（ディジタル情報）をアナログ信号に復元して回線制御部６１に出力する。
【００３９】
スキャナ部５７は、ＣＰＵ５１の制御の下、通信装置１がファクシミリ装置として機能する場合のファクシミリ送信すべき画像等の情報を読み取ってバス６４に出力すると共に、通信装置１がコピー装置として機能する場合の当該コピーすべき画像等の情報を読み取ってバス６４に出力する。
【００４０】
プリンタ部５８は、ＣＰＵ５１の制御の下、通信装置１がファクシミリ装置として機能する場合に回線制御部６１及びモデム部６０を介して入力された受信したファクシミリ情報を、ＲＡＭ５３に一時的に記憶した後又は直接所定の記録用紙に記録して出力する。この他に、プリンタ部５８は、通信装置１がコピー装置として機能する場合の当該コピーすべき画像等の情報をバス６４から受け取って上記記録用紙に記録すると共に、通信装置１がプリンタ装置として機能する場合の図示しないパソコンから入力された情報をバス６４から受け取って記録用紙に記録する。
【００４１】
操作部５４は、通信装置１に対しての指示を与える部分であり、アルファベットの大文字に対応するキーと数字に対応するキー等により構成されている。
【００４２】
表示部５５は、操作部５４により指示された状態等を表示する部分である。
【００４３】
ＲＯＭ５２は、主としてＣＰＵ５１において実行されるファクシミリ機能、スキャナ機能、プリンタ機能又はコピー機能等を実現するための制御プログラムを記憶しておくための読み出し専用のメモリであり、ＣＰＵ５１の制御の下、必要なデータ等をバス６４を介して出力する。
【００４４】
ＲＡＭ５３は、ＣＰＵ５１の制御の下、必要なデータを一時的に記憶する等の動作を行うための読み書き可能なメモリであり、具体的には、ファクシミリ情報として電話回線６３及び制御部６１等を介して入力されたデータ、電話回線６３を介して外部に送出すべきファクシミリ情報又はスキャナ部５７において読み取られた情報等を一時的に記憶し、ＣＰＵ５１の制御により所定のタイミングで読み出す。
【００４５】
スピーカ５６は、呼出音、ガイダンス音声、入力情報等の音声情報を出力する。
【００４６】
検知部（人体検知センサ）１９は、熱線の量の変化を電圧の変化に変換し、当該電圧変化をオペアンプにより増幅し、コンパレータによってアナログ信号をディジタル信号に変換し、ＣＰＵ５１に出力する。
【００４７】
最後に、ＣＰＵ５１は、バス６４を介して、ＲＯＭ５２に記録されている制御プログラムに基づいて上述の各構成部材の動作を制御する。
【００４８】
更に上記の構成において、留守番電話機能を実行するときには、外部の通話者から掛かってきた電話に対応するための予め入力されたいわゆる応答メッセージ並びに当該通話者の音声（メッセージ）は上記ＲＡＭ５３に一時的に記憶される。更にこれらの留守番電話機能はＣＰＵ５１により統轄して制御される。なお、ＲＡＭ５３は、電源が断となったときでも記憶内容が消失しないように電源バックアップ可能である。
【００４９】
［通信処理］
次に、上述した細部構成を備える通信装置において実行される通信処理について、図４を用いて説明する。
【００５０】
なお、図４は、通信処理を示すフローチャートである。
【００５１】
まず、伝言設定を行う（ステップＳ１１）。
【００５２】
具体的には、伝言録音者が音声入力手段としての受話器を用いて、音声により伝言（入力情報）を入力（録音）する。なお、伝言を音声により録音する場合について以下説明するが、文字入力手段としての操作部、画像入力手段としてのスキャナ部を用いて、文字や画像を伝言として入力してもよく、また音声情報に前記文字や画像情報を追加してもよい。更に、ここでは、外部より取得した通信情報については改めて記載しないが、伝言設定がなされると、伝言録音者が録音した伝言（入力情報）は、外部より取得した通信情報（ファクシミリ情報等）と同一の記憶部に記憶されることになる。
【００５３】
次に、タイマーを設定する（ステップＳ１２）。
【００５４】
具体的には、伝言録音者が伝言を録音してから所定時間（例えば、３分）経過した後に、人体検知センサによって人の検知を開始するように、タイマーを設定する。これは、伝言の録音を行った伝言録音者に人体検知センサが反応して伝言を再生してしまうことを防止するためである。
【００５５】
次に、タイムアップしたか否かを判定する（ステップＳ１３）。
【００５６】
具体的には、伝言録音者が伝言を録音してから所定時間（例えば、３分）が経過しているか否かを判定する。
【００５７】
ここで、所定時間が経過していない場合（タイムアップしていない場合）（ステップＳ１３：ＮＯ）には、所定時間が経過するまでタイムアップしたか否かの判定が行われる。一方、経過時間が経過した場合（タイムアップした場合）（ステップＳ１３：ＹＥＳ）には、次に、人体検知センサにより人の存在が検知されたか否かの判定を行う（ステップＳ１４）。
【００５８】
具体的には、伝言を聞くべき伝言取得者が通信装置付近に現れた場合に伝言再生を行うため、人体検知センサにより人の存在を検知する。
【００５９】
ここで、人の存在が検知されていない場合（ステップＳ１４：ＮＯ）には、人の存在が検知されるまで繰り返し人の存在が検知されたか否かの判定が行われる。一方、人の存在が検知された場合（ステップＳ１４：ＹＥＳ）には、伝言再生前処理が行われる（ステップＳ１５）。
【００６０】
伝言再生前処理とは、喚起音や、音声ガイダンス等であり、人体検知センサが検知した人（伝言取得者）に対して、伝言再生を開始するための注意をひくものである。
【００６１】
次に、伝言再生を行う（ステップＳ１６）。
【００６２】
具体的には、人体検知センサによって人の存在が検知された場合には、伝言録音者が録音した伝言を再生する。
【００６３】
次に、タイマーを設定する（ステップＳ１７）。
【００６４】
伝言取得者が伝言を聞いてから所定時間（例えば、３分）経過した後に伝言を消去するために、タイマーを設定する。これは、伝言が再生された後に聞き取れなかったことの理由などで、伝言取得者が再度再生を望む場合を考慮したものである。
【００６５】
次に、記憶部から伝言を消去するか否かを選択するために用いられる選択情報を再生する（ステップＳ１８）。
【００６６】
具体的には、伝言を消去するか否かを選択する選択画面を表示部に表示させたり、又はスピーカから音声によって選択情報が再生される。これにより、伝言取得者は、伝言を消去するか否かを選択することができる。
【００６７】
次に、伝言の消去が選択されたか否かの判定を行う（ステップＳ１９）。
【００６８】
具体的には、伝言取得者により伝言の消去が選択されたかを判定する。ここで、伝言を消去することが選択された場合（ステップＳ１９：ＹＥＳ）には、Ｓ２２の動作に移行する。一方、伝言取得者により伝言を消去することが選択されなかった（伝言を消去しないことが選択された）場合（ステップＳ１９：ＮＯ）には、次に、伝言の再生が選択されたか否かの判定を行う（ステップＳ２０）。
【００６９】
具体的には、伝言取得者により伝言の再生が選択されたかを判定する。ここで、伝言を再生することが選択された場合（ステップＳ２０：ＹＥＳ）には、Ｓ１６の動作に移行し、伝言再生を行う。一方、伝言取得者により伝言を再生することが選択されなかった（伝言を再生しないことが選択された）場合（ステップ２０：ＮＯ）には、次に、タイムアップしたか否かを判定する（ステップＳ２１）。
【００７０】
具体的には、伝言取得者により伝言を消去することが選択されなかった（伝言を消去しないことが選択された）場合であっても、所定時間が経過した後に伝言を消去するような設定を行った場合には、所定時間が経過したか否かの判定を行う。ここで、所定時間が経過していない場合（タイムアップしていない場合）（ステップＳ２１：ＮＯ）には、Ｓ１９〜Ｓ２０の動作が繰り返し行われる。一方、経過時間が経過した場合（タイムアップした場合）（ステップＳ２１：ＹＥＳ）には、次に、伝言設定が解除され（ステップＳ２２）、伝言が消去される（ステップＳ２３）。
【００７１】
以上説明したように、外部より取得された通信情報と受話器、又は操作部を用いて入力された入力情報とが一の記憶部に記憶される場合において、検知部により人の存在が検知されたタイミングで入力情報を再生し、その後再生された入力情報を記憶部から削除することによって、記憶部に記憶されている記憶量を逐次減らすことができるため、記憶部を有効に利用することができる。
【００７２】
また、入力情報を再生した後に削除するか否かを選択するために用いられる選択情報を再生し、再生された選択情報に基づいて、入力情報を記憶部から削除することによって、削除すべき入力情報を記憶部から削除することができる。更にこれにより、記憶部に記憶されている記憶量を逐次減らすことができるため、記憶部を有効に利用することができる。
【００７３】
また、入力情報の再生が終了してから所定時間が経過した場合、再生された入力情報を記憶部から削除することによって、記憶部に記憶されている記憶量を逐次減らすことができるため、記憶部を有効に利用することができる。
【図面の簡単な説明】
【００７４】
【図１】実施形態に係る通信装置の概略構成を示す斜視図である。
【図２】実施形態に係る通信装置の概略構成を示す断面図である。
【図３】実施形態に係る通信装置の細部構成を示すブロック図である。実施形態に係る検査システムにおける検査処理を示すフローチャートである。
【図４】通信処理を示すフローチャートである。
【符号の説明】
【００７５】
１    通信装置
１１    操作部
１２    表示部
１３    給紙部
１４    排出部
１５    原稿台
１６    受話器
１７    電話回線
１８    アンテナ
１９    人体検知センサ
５１    ＣＰＵ
５２    ＲＯＭ
５３    ＲＡＭ
５４    操作部
５５    表示部
５６    スピーカ
５７    スキャナ部
５８    プリンタ部
６０    モデム部
６１    回線制御部
６２    受話器
６３    電話回線
６４    バス
【図１】
2008252355.tif 000003
【図２】
2008252355.tif 000004
【図３】
2008252355.tif 000005
【図４】
2008252355.tif 000006